(57)【要約】【課題】複数の吸着熱交換器を有する吸着熱交換ユニットにおいて、装置を大型化させることなく、各吸着熱交換器同士を接続すること。【解決手段】吸着熱交換ユニット（51,52）は、扁平管（62）と、各扁平管（62）の一端が接続され、且つ外周面に開口部（86）が形成された平坦壁部（85）を有する第２ヘッダ集合管（81）と、隣り合う扁平管（62）の間に形成されたフィン（63）と、フィン（63）および扁平管（62）の表面に形成される吸着剤とをそれぞれが有する第１および第２吸着熱交換器（56,57）を備え、互いが直列に接続される２つの第２ヘッダ集合管（81,81）は、互いの平坦壁部（85,85）および開口部（86,86）同士を合わせて配置されている。【選択図】図３
2013137172.tif 000002
【特許請求の範囲】
【請求項１】
側面が対向するように上下に配列された扁平管（62）と、該各扁平管（62）の一端又は他端が接続され、且つ外周面に開口部（86）が形成された平面部（85）を有するヘッダ集合管（81）と、隣り合う上記扁平管（62）の間に形成された伝熱部（63）と、伝熱部（63）又は扁平管（62）の表面に形成される吸着剤とをそれぞれが有する複数の吸着熱交換器（56〜58）を備え、
互いが直列に接続される２つのヘッダ集合管（81,81,82,83）は、互いの平面部（85,85）および開口部（86,86）同士を合わせて配置されている
ことを特徴とする吸着熱交換ユニット。
【請求項２】
請求項１において、
上記複数の吸着熱交換器（56,57）は、各扁平管（62）の冷媒の下流端が並列に接続される下流側ヘッダ集合管（81）を有する第１吸着熱交換器（56）と、各扁平管（62）の冷媒の上流端が並列に接続される上流側ヘッダ集合管（81）を有する第２吸着熱交換器（57）とを備え、
上記下流側ヘッダ集合管（81）および上流側ヘッダ集合管（81）は、直列に接続されると共に、互いの平面部（85,85）および開口部（86,86）を合わせて配置されている
ことを特徴とする吸着熱交換ユニット。
【請求項３】
請求項１において、
上記複数の吸着熱交換器（56〜58）は、各扁平管（62）の冷媒の下流端が並列に接続される下流側ヘッダ集合管（81）を有する第１吸着熱交換器（56）と、各扁平管（62）の冷媒の上流端が並列に接続される上流側ヘッダ集合管（81）を有する第２吸着熱交換器（57）と、扁平管（62）の冷媒の上流端が並列に接続される第３ヘッダ集合管（82）および該各扁平管（62）の冷媒の下流端が並列に接続される第４ヘッダ集合管（83）を有する第３吸着熱交換器（58）とを備えている
ことを特徴とする吸着熱交換ユニット。
【請求項４】
請求項３において、
上記下流側ヘッダ集合管（81）および第３ヘッダ集合管（82）は、直列に接続されると共に、互いの平面部（85,85）および開口部（86,86）を合わせて配置される一方、上流側ヘッダ集合管（81）および第４ヘッダ集合管（83）は、直列に接続されると共に、互いの平面部（85,85）および開口部（86,86）を合わせて配置されている
ことを特徴とする吸着熱交換ユニット。
【発明の詳細な説明】
【技術分野】
【０００１】
本発明は、複数の吸着熱交換器を備える吸着熱交換ユニットに関し、特に、吸着熱交換器同士の接続構造に係るものである。
【背景技術】
【０００２】
従来より、吸着剤を用いて空気を除湿し又は加湿する調湿装置が知られている。例えば、特許文献１には、吸着剤を担持する吸着熱交換器を備えた調湿装置が開示されている。この調湿装置では、冷凍サイクルを行う冷媒回路に二つの吸着熱交換器が設けられる。冷媒回路は、第１吸着熱交換器が放熱器となって第２吸着熱交換器が蒸発器となる冷凍サイクル動作と、第２吸着熱交換器が放熱器となって第１吸着熱交換器が蒸発器となる冷凍サイクル動作とを、所定の時間毎（例えば、３分間毎）に交互に行う。
【０００３】
ところで、一般的な空気調和装置では、空調に必要な熱交換性能が不足した場合、熱交換器を大型化させるなどして熱交換性能を増大させている。ところが、上述した従来の調湿装置は、通常、天井裏などに据え付けられるため、調湿装置の高さは所定範囲内に制限されることが多く、熱交換能力が不足した場合、吸着熱交換器を調湿装置の高さ方向に大型化させることができない。このため、このような調湿装置では、熱交換性能の不足に対し、吸着熱交換器を複数台設け、それらを熱交換室内の奥行き方向に多列化させて配置している。したがって、多列に配置した複数の吸着熱交換器を接続する手段が必要となる。
【０００４】
これに対し、従来では、多列に配置した複数の熱交換器同士を連絡配管を用いて接続する手段が考えられている。
【先行技術文献】
【特許文献】
【０００５】
【特許文献１】特開２００７−１０２３１号公報
【発明の概要】
【発明が解決しようとする課題】
【０００６】
しかしながら、従来の連絡配管による手段を上記特許文献１に示す調湿装置に適用すると、この連絡配管を設けることによって調湿装置が大型化してしまうという問題があった。
【０００７】
本発明は、斯かる点に鑑みてなされたものであり、複数の吸着熱交換器を有する吸着熱交換ユニットにおいて、装置を大型化させることなく、各吸着熱交換器同士を接続することを目的とする。
【課題を解決するための手段】
【０００８】
第１の発明は、側面が対向するように上下に配列された扁平管（62）と、該各扁平管（62）の一端又は他端が接続され、且つ外周面に開口部（86）が形成された平面部（85）を有するヘッダ集合管（81）と、隣り合う上記扁平管（62）の間に形成された伝熱部（63）と、伝熱部（63）又は扁平管（62）の表面に形成される吸着剤とをそれぞれが有する複数の吸着熱交換器（56〜58）を備え、互いが直列に接続される２つのヘッダ集合管（81,81,82,83）は、互いの平面部（85,85）および開口部（86,86）同士を合わせて配置されている。
【０００９】
上記第１の発明では、複数の吸着熱交換器（56〜58）は、それぞれが扁平管（62）と伝熱部（63）と吸着剤とヘッダ集合管（81）とを有している。扁平管（62）は、側面が対向するように上下に配列される。隣り合う扁平管（62）の間には伝熱部（63）が形成されている。そして、扁平管（62）又は伝熱部（63）の表面には吸着剤が担持されている。ヘッダ集合管（81）には、扁平管（62）の一端又は他端が接続されている。また、ヘッダ集合管（81）は、その外周面に開口部（86）が形成された平面部（85）を有している。
【００１０】
そして、互いに冷媒の流れが直列に接続される２つのヘッダ集合管（81,81）は、互いの平面部（85,85）および開口部（86,86）同士を合わせて配置されている。扁平管（62）を流れる冷媒は一方のヘッダ集合管（81）に流入し、開口部（86）から他方のヘッダ集合管（81）に流入する。こうすることで、接続配管を用いることなく、複数の吸着熱交換器（56〜58）間で冷媒を移動させることができる。
【００１１】
第２の発明は、上記第１の発明において、上記複数の吸着熱交換器（56,57）は、各扁平管（62）の冷媒の下流端が並列に接続される下流側ヘッダ集合管（81）を有する第１吸着熱交換器（56）と、各扁平管（62）の冷媒の上流端が並列に接続される上流側ヘッダ集合管（81）を有する第２吸着熱交換器（57）とを備え、上記下流側ヘッダ集合管（81）および上流側ヘッダ集合管（81）は、直列に接続されると共に、互いの平面部（85,85）および開口部（86,86）を合わせて配置されている。
【００１２】
上記第２の発明では、複数の吸着熱交換器（56,57）は、第１吸着熱交換器（56）と第２吸着熱交換器（57）を備えている。そして、第１吸着熱交換器（56）は、下流側ヘッダ集合管（81）を有している。下流側ヘッダ集合管（81）には、第１吸着熱交換器（56）の各扁平管（62）の冷媒の下流端が並列接続され、該各扁平管（62）から冷媒が流入する。また、第２吸着熱交換器（57）は、上流側ヘッダ集合管（81）を有している。上流側ヘッダ集合管（81）には、第２吸着熱交換器（57）の各扁平管（62）の冷媒の上流端が並列接続され、該上流側ヘッダ集合管（81）に流入させた冷媒を各扁平管（62）に案内する。
【００１３】
また、下流側ヘッダ集合管（81）は、その外周面に平面部（85）を有し、平面部（85）には、下流側ヘッダ集合管（81）の内部に連通する開口部（86）が形成されている。一方、上流側ヘッダ集合管（81）は、その外周面に平面部（85）を有し、平面部（85）には、上流側ヘッダ集合管（81）の内部に連通する開口部（86）が形成されている。そして、下流側ヘッダ集合管（81）と上流側ヘッダ集合管（81）は、直列に接続されると共に、互いに平面部（85,85）および開口部（86,86）同士を合わせて配置されている。
【００１４】
こうすることで、第１吸着熱交換器（56）における各扁平管（62）を通過した冷媒は下流側ヘッダ集合管（81）に集まった後、互いの開口部（86,86）を通過して第２吸着熱交換器（57）の上流側ヘッダ集合管（81）に流入する。上流側ヘッダ集合管（81）の冷媒は、第２吸着熱交換器（57）の扁平管（62）に案内される。
【００１５】
第３の発明は、上記第１の発明において、上記複数の吸着熱交換器（56〜58）は、各扁平管（62）の冷媒の下流端が並列に接続される下流側ヘッダ集合管（81）を有する第１吸着熱交換器（56）と、各扁平管（62）の冷媒の上流端が並列に接続される上流側ヘッダ集合管（81）を有する第２吸着熱交換器（57）と、扁平管（62）の冷媒の上流端が並列に接続される第３ヘッダ集合管（82）、および該各扁平管（62）の冷媒の下流端が並列に接続される第４ヘッダ集合管（83）を有する第３吸着熱交換器（58）とを備えている。
【００１６】
上記第３の発明では、複数の吸着熱交換器（56〜58）は、第１吸着熱交換器（56）と第２吸着熱交換器（57）と第３吸着熱交換器（58）とを備えている。そして、第１吸着熱交換器（56）は、下流側ヘッダ集合管（81）を有している。下流側ヘッダ集合管（81）には、第１吸着熱交換器（56）の各扁平管（62）の冷媒の下流端が並列接続され、該各扁平管（62）から冷媒が流入する。また、第２吸着熱交換器（57）は、上流側ヘッダ集合管（81）を有している。上流側ヘッダ集合管（81）には、第２吸着熱交換器（57）の各扁平管（62）の冷媒の上流端が並列接続され、該上流側ヘッダ集合管（81）に流入させた冷媒を各扁平管（62）に案内する。第３吸着熱交換器（58）は、第３ヘッダ集合管（82）および第４ヘッダ集合管（83）を有している。第３ヘッダ集合管（82）には、第３吸着熱交換器（58）の各扁平管（62）の冷媒の上流端が並列接続され、該第３ヘッダ集合管（82）に流入させた冷媒を各扁平管（62）に案内する。また、第４ヘッダ集合管（83）には、第３吸着熱交換器（58）の各扁平管（62）の冷媒の下流端が並列接続され、該各扁平管（62）から冷媒が流入する。
【００１７】
また、下流側ヘッダ集合管（81）は、その外周面に平面部（85）を有し、平面部（85）には、下流側ヘッダ集合管（81）の内部に連通する開口部（86）が形成されている。一方、上流側ヘッダ集合管（81）は、その外周面に平面部（85）を有し、平面部（85）には、上流側ヘッダ集合管（81）の内部に連通する開口部（86）が形成されている。第３ヘッダ集合管（82）は、その外周面に平面部（85）を有し、平面部（85）には、第３ヘッダ集合管（82）の内部に連通する開口部（86）が形成されている。第４ヘッダ集合管（83）は、その外周面に平面部（85）を有し、平面部（85）には、第４ヘッダ集合管（83）の内部に連通する開口部（86）が形成されている。
【００１８】
ここで、第３吸着熱交換器（58）は、扁平管（62）の冷媒の上流端に接続される第３ヘッダ集合管（82）と、下流端に接続される第４ヘッダ集合管（83）を備えているため、複数の第３吸着熱交換器（58）を直列に接続することができる。このため、複数の吸着熱交換器を有する吸着ユニットにおける吸着熱交換器の台数を容易に増やすことができる。
【００１９】
第４の発明は、上記第３の発明において、上記下流側ヘッダ集合管（81）および第３ヘッダ集合管（82）は、直列に接続されると共に、互いの平面部（85,85）および開口部（86,86）を合わせて配置される一方、上流側ヘッダ集合管（81）および第４ヘッダ集合管（83）は、直列に接続されると共に、互いの平面部（85,85）および開口部（86,86）を合わせて配置されている。
【００２０】
上記第４の発明では、下流側ヘッダ集合管（81）と第３ヘッダ集合管（82）は、直列に接続されると共に、互いに平面部（85,85）および開口部（86,86）同士を合わせて配置されている。また、上流側ヘッダ集合管（81）と第４ヘッダ集合管（83）は、直列に接続されると共に、互いに平面部（85,85）および開口部（86,86）同士を合わせて配置されている。
【００２１】
こうすることで、第１吸着熱交換器（56）における各扁平管（62）を通過した冷媒は下流側ヘッダ集合管（81）に集まった後、互いの開口部（86,86）を通過して第３吸着熱交換器（58）の第３ヘッダ集合管（82）に流入する。第３ヘッダ集合管（82）の冷媒は、第３吸着熱交換器（58）の各扁平管（62）に案内される。そして、第３吸着熱交換器（58）の各扁平管（62）を通過した冷媒は第４ヘッダ集合管（83）に集まった後、互いの開口部（86,86）を通過して第２吸着熱交換器（57）の上流側ヘッダ集合管（81）に流入する。上流側ヘッダ集合管（81）の冷媒は、第２吸着熱交換器（57）の各扁平管（62）に案内される。
【発明の効果】
【００２２】
上記第１の発明によれば、直列接続された２つのヘッダ集合管（81,81）同士を平面部（85,85）および開口部（86,86）によって接続させたため、一方のヘッダ集合管（81）から他方のヘッダ集合管（81）に開口部（86,86）を介して冷媒を供給することができる。これにより、接続配管等を用いなくとも複数の吸着熱交換器（56〜58）を接続することができる。この結果、複数の吸着熱交換器（56〜58）を有する吸着熱交換ユニットにおいて、装置を大型化させることなく、各吸着熱交換器（56〜58）同士を接続することができる。
【００２３】
上記第２の発明によれば、互いに直列接続される下流側ヘッダ集合管（81）と上流側ヘッダ集合管（81）の平面部（85,85）および開口部（86,86）を合わせて配置したため、第１吸着熱交換器（56）から第２吸着熱交換器（57）へ冷媒を流すことができる。これにより、接続配管等を用いなくとも第１および第２吸着熱交換器（56,57）を接続することができる。
【００２４】
上記第３の発明によれば、第３ヘッダ集合管（82）および第４ヘッダ集合管（83）を備えた第３吸着熱交換器（58）を設けたため、複数の吸着熱交換器（56〜58）の台数を簡単に増やすことができる。つまり、接続配管等を用いることなく、複数の第３吸着熱交換器（58）を直列接続することができる。
【００２５】
上記第４の発明によれば、下流側ヘッダ集合管（81）と第３ヘッダ集合管（82）の互いの平面部（85,85）および開口部（86,86）同士を合わせて配置される一方、上流側ヘッダ集合管（81）と第４ヘッダ集合管（83）の互いの平面部（85,85）および開口部（86,86）同士を合わせて配置したため、接続配管等を用いることなく、第１〜第３の吸着熱交換器（56〜58）を接続することができる。
【図面の簡単な説明】
【００２６】
【図１】実施形態１に係る調湿装置の概略構造を示す平面図、右側面図、および左側面図である。
【図２】実施形態１に係る冷媒回路を示す概略の配管系統図であって、（Ａ）は第１冷凍サイクル動作を示し、（Ｂ）は第２冷凍サイクル動作を示す。
【図３】実施形態１に係る吸着熱交換ユニットを示す概略図である。
【図４】実施形態１に係る第１吸着熱交換器を示す正面図である。
【図５】実施形態１に係る第１ヘッダ集合管を示す図であって、（Ａ）は上方から視た図であり、（Ｂ）は正面側から視た斜視図である。
【図６】実施形態１に係る第２ヘッダ集合管を示す図であって、（Ａ）は上方から視た図であり、（Ｂ）は正面側から視た斜視図である。
【図７】実施形態１に係る各吸着熱交換器を示す断面図である。
【図８】実施形態１に係る吸着熱交換ユニットにおける第１ヘッダ集合管同士を展開した図である。
【図９】実施形態１に係る吸着熱交換ユニットにおける第２ヘッダ集合管同士を展開した図である。
【図１０】実施形態２に係る吸着熱交換ユニットを示す概略図である。
【図１１】実施形態２に係る吸着熱交換ユニットの第１ヘッダ集合管と第４ヘッダ集合管とを展開した図である。
【図１２】実施形態２に係る吸着熱交換ユニットの第２ヘッダ集合管と第３ヘッダ集合管とを展開した図である。
【発明を実施するための形態】
【００２７】
以下、本発明の実施形態を図面に基づいて詳細に説明する。
【００２８】
〈発明の実施形態１〉
以下、本発明の実施形態１を図面に基づいて詳細に説明する。
【００２９】
本実施形態１の調湿装置（10）は、室内空間の湿度調節と共に室内空間の換気を行うものであり、取り込んだ室外空気（OA）を湿度調節して室内空間へ供給すると同時に、取り込んだ室内空気（RA）を室外空間へ排出する。
【００３０】
〈調湿装置の全体構成〉
図１および図２に示すように、調湿装置（10）は、ケーシング（11）を備えている。また、ケーシング（11）内には、冷媒回路（50）が収容されている。この冷媒回路（50）には、第１吸着熱交換ユニット（51）、第２吸着熱交換ユニット（52）、圧縮機（53）、四方切換弁（54）、及び電動膨張弁（55）が接続されている。冷媒回路（50）の詳細は後述する。
【００３１】
ケーシング（11）は、やや扁平で高さが比較的低い直方体状に形成されている。このケーシング（11）には、外気吸込口（24）と、内気吸込口（23）と、給気口（22）と、排気口（21）とが形成されている。
【００３２】
外気吸込口（24）及び内気吸込口（23）は、ケーシング（11）の背面パネル部（13）に設けられている。外気吸込口（24）は、背面パネル部（13）の下側部分に設けられている。内気吸込口（23）は、背面パネル部（13）の上側部分に設けられている。給気口（22）は、ケーシング（11）の第１側面パネル部（14）に設けられている。第１側面パネル部（14）において、給気口（22）は、ケーシング（11）の前面パネル部（12）側の端部付近に配置されている。排気口（21）は、ケーシング（11）の第２側面パネル部（15）に設けられている。第２側面パネル部（15）において、排気口（21）は、前面パネル部（12）側の端部付近に配置されている。
【００３３】
ケーシング（11）の内部空間には、上流側仕切板（71）と、下流側仕切板（72）と、中央仕切板（73）とが設けられている。これらの仕切板（71〜73）は、何れもケーシング（11）の底板に起立した状態で設置されており、ケーシング（11）の内部空間をケーシング（11）の底板から天板に亘って区画している。
【００３４】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。中央仕切板（73）の配置については、後述する。
【００３５】
ケーシング（11）内において、上流側仕切板（71）と背面パネル部（13）の間の空間は、上下二つの空間に仕切られており、上側の空間が内気側通路（32）を構成し、下側の空間が外気側通路（34）を構成している。内気側通路（32）は、内気吸込口（23）に接続するダクトを介して室内空間と連通している。外気側通路（34）は、外気吸込口（24）に接続するダクトを介して室外空間と連通している。
【００３６】
内気側通路（32）には、内気側フィルタ（27）と、内気温度センサ（91）と、内気湿度センサ（92）とが設置されている。内気温度センサ（91）は、内気側通路（32）を流れる室内空気の温度を計測する。内気湿度センサ（92）は、内気側通路（32）を流れる室内空気の相対湿度を計測する。一方、外気側通路（34）には、外気側フィルタ（28）と、外気温度センサ（93）と、外気湿度センサ（94）とが設置されている。外気温度センサ（93）は、外気側通路（34）を流れる室外空気の温度を計測する。外気湿度センサ（94）は、外気側通路（34）を流れる室外空気の相対湿度を計測する。
【００３７】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換ユニット（51）が収容されている。第２熱交換器室（38）には、第２吸着熱交換ユニット（52）が収容されている。また、図示しないが、第１熱交換器室（37）には、冷媒回路（50）の電動膨張弁（55）が収容されている。尚、各吸着熱交換ユニット（51,52）については後述する。
【００３８】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３９】
上流側仕切板（71）には、開閉式のダンパ（41〜44）が四つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。上流側仕切板（71）に設けられた四つのダンパ（41〜44）は、空気の流通経路を切り換える切換機構（40）を構成している。
【００４０】
下流側仕切板（72）には、開閉式のダンパ（45〜48）が四つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。下流側仕切板（72）に設けられた四つのダンパ（45〜48）は、空気の流通経路を切り換える切換機構（40）を構成している。
【００４１】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４２】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４３】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４４】
図１〜図４に示すように、各吸着熱交換ユニット（51,52）は、第１および第２吸着熱交換器（56,57）で構成されている。各吸着熱交換器（56,57）は、それぞれが全体として長方形の薄板状あるいは扁平な直方体状に形成されている。そして、各吸着熱交換器（56,57）は、その前面及び背面が上流側仕切板（71）及び下流側仕切板（72）と平行になる姿勢で、熱交換器室（37,38）内に起立した状態で配置されている。この吸着熱交換ユニット（51,52）では、各熱交換器室（37,38）を流れる空気の下流から上流にかけて第１吸着熱交換器（56）および第２吸着熱交換器（57）の順に並んで設置されている。
【００４５】
各吸着熱交換器（56,57）は、第１ヘッダ集合管（80）と、第２ヘッダ集合管（81）と、多数の扁平管（62）と、多数のフィン（63）とを備え、これらの扁平管（62）およびフィン（63）の表面に吸着剤を担持させたものである。第１および第２ヘッダ集合管（80,81）、扁平管（62,62）およびフィン（63）は、何れもアルミニウム合金製の部材であって、互いにロウ付けによって接合されている。また、第１ヘッダ集合管（80）および第２ヘッダ集合管（81）は、その軸方向が上下方向となるように配置されている。
【００４６】
図５に示すように、上記第１ヘッダ集合管（80）は、両端が閉塞された細長い管状に形成され、図４における各吸着熱交換器（56）の左端に起立した状態で配置されている。第１ヘッダ集合管（80）は、軸直角断面形状が略Ｄ字状に形成され、扁平管（62）の一端が接続される。第１ヘッダ集合管（80）は、その周壁が円弧壁部（84）と、該円弧壁部（84）と対向する平坦壁部（85）とを有している。
【００４７】
上記円弧壁部（84）は、径方向外方へ膨出する円弧状に形成されている。円弧壁部（84）には、各扁平管（62）が互いに等間隔を置いて上下方向に配列された扁平管（62）の一端が接続される。
【００４８】
上記平坦壁部（85）は、第１ヘッダ集合管（80）の周壁において上記円弧壁部（84）と略対向する部分が平坦状に形成されている。平坦壁部（85）は、第１吸着熱交換器（56）の扁平管（62）の伸長方向と略平行方向に向かって延びている。
【００４９】
図６に示すように、上記第２ヘッダ集合管（81）は、両端が閉塞された細長い管状に形成され、図４における第１吸着熱交換器（56）の右端に起立した状態で配置されている。第２ヘッダ集合管（81）は、軸直角断面形状が略Ｄ字状に形成され、扁平管（62）の他端が接続される。第２ヘッダ集合管（81）は、その周壁が円弧壁部（84）と、該円弧壁部（84）と対向する平坦壁部（85）とを有している。尚、第２ヘッダ集合管（81）は、本発明に係るヘッダ集合管、上流側ヘッダ集合管、および下流側ヘッダ集合管を構成するものであって、特に、第１吸着熱交換器（56）の第２ヘッダ集合管（81）は、本発明に係るヘッダ集合管および下流側ヘッダ集合管を構成し、第２吸着熱交換器（57）の第２ヘッダ集合管（81）は、本発明に係るヘッダ集合管および上流側ヘッダ集合管を構成している。
【００５０】
上記円弧壁部（84）は、径方向外方へ膨出する円弧状に形成されている。円弧壁部（84）には、各扁平管（62）が互いに等間隔を置いて上下方向に配列された扁平管（62）の他端が接続される。
【００５１】
上記平坦壁部（85）は、第２ヘッダ集合管（81）の周壁において上記円弧壁部（84）と略対向する部分が平坦状に形成されている。平坦壁部（85）は、第１吸着熱交換器（56）の扁平管（62）の伸長方向と略平行方向に向かって延びている。尚、この平坦壁部（85）は、本発明に係る平面部を構成するものである。
【００５２】
上記平坦壁部（85）には、略矩形状の開口部（86）が形成されている。この開口部（86）は、第２ヘッダ集合管（81）の内部および外部と連通させるものである。開口部（86）は、平坦壁部（85）の長手方向の概ね上部位置に設けられている。
【００５３】
上記扁平管（62）は、その断面形状が扁平な長円形となった伝熱管である。第１吸着熱交換器（56）において、複数の扁平管（62）は、その伸長方向が左右方向となり、それぞれの平坦な側面が対向する状態で配置されている。また、複数の扁平管（62）は、互いに一定の間隔をおいて上下に並んで配置され、互いに実質的に平行となっている。各扁平管（62）は、その一端が第１ヘッダ集合管（80）に挿入され、その他端が第２ヘッダ集合管（81）に挿入されている。
【００５４】
各扁平管（62）は、図７に示すように、複数の流体通路（62a）が形成されている。各流体通路（62a）は、扁平管（62）の伸長方向に延びる通路である。各扁平管（62）において、複数の流体通路（62a）は、扁平管（62）の幅方向（即ち、長手方向と直交する方向）に一列に並んでいる。各扁平管（62）に形成された複数の流体通路（62a）は、それぞれの一端が第１ヘッダ集合管（80）の内部空間に連通し、それぞれの他端が第２ヘッダ集合管（81）の内部空間に連通している。第１吸着熱交換器（56）へ供給された冷媒は、扁平管（62）の流体通路（62a）を流れる間に空気と熱交換する。
【００５５】
フィン（63）は、金属板をプレス加工することによって形成された縦長のフィン板状フィンである。フィン（63）には、フィン（63）の前縁（即ち、風上側の縁部）からフィン（63）の幅方向に延びる細長い切り欠き部（64）が多数形成されている。フィン（63）では、多数の切り欠き部（64）が、フィン（63）の長手方向（上下方向）に一定の間隔で形成されている。切り欠き部（64）の風下寄りの部分は、管挿入部（65）を構成している。管挿入部（65）は、上下方向の幅が扁平管（62）の厚さと実質的に等しく、長さが扁平管（62,62）の幅と実質的に等しい。扁平管（62）は、フィン（63）の管挿入部（65）に挿入され、管挿入部（65）の周縁部とロウ付けによって接合される。また、フィン（63）には、伝熱を促進するためのルーバー（66）が形成されている。そして、複数のフィン（63）は、扁平管（62）の伸長方向に配列されることで、隣り合う扁平管（62）の間を空気が流れる複数の通風路に区画している。尚、このフィン（63）は、本発明に係る伝熱部を構成している。
【００５６】
図３、図８、および図９に示すように、第１吸着熱交換器（56）と第２吸着熱交換器（57）は、それぞれの第１ヘッダ集合管（80,80）同士と第２ヘッダ集合管（81,81）同士を接触させて配置されている。具体的には、両吸着熱交換器（56,57）は、各第１ヘッダ集合管（80,80）の平坦壁部（85,85）同士を合わせた状態で配置される一方、各第２ヘッダ集合管（81,81）の平坦壁部（85,85）および開口部（86,86）同士を合わせた状態で配置される。つまり、第２ヘッダ集合管（81,81）同士は、冷媒流れが直列に接続される。そして、第１吸着熱交換器（56）の第２ヘッダ集合管（81）の内部と、第２吸着熱交換器（57）の第２ヘッダ集合管（81）の内部とが連通する。
【００５７】
〈冷媒回路の構成〉
図２に示すように、冷媒回路（50）は、第１吸着熱交換ユニット（51）、第２吸着熱交換ユニット（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。また、図示しないが、冷媒回路（50）には、複数の温度センサ及び圧力センサが取り付けられている。
【００５８】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、四方切換弁（54）の第３のポートから第４のポートへ向かって順に、第１吸着熱交換ユニット（51）と、電動膨張弁（55）と、第２吸着熱交換ユニット（52）とが配置されている。
【００５９】
四方切換弁（54）は、第１のポートと第３のポートが連通して第２のポートと第４のポートが連通する第１状態（図２(Ａ)に示す状態）と、第１のポートと第４のポートが連通して第２のポートと第３のポートが連通する第２状態（図２(Ｂ)に示す状態）とに切り換え可能となっている。
【００６０】
圧縮機（53）は、圧縮機構とそれを駆動する電動機とが一つのケーシングに収容された全密閉型の圧縮機である。この圧縮機（53）の電動機には、インバータを介して交流が供給される。インバータの出力周波数（即ち、圧縮機の運転周波数）を変更すると、電動機とそれによって駆動される圧縮機構の回転速度が変化し、圧縮機（53）の運転容量が変化する。
【００６１】
〈コントローラの構成〉
調湿装置（10）には、制御器であるコントローラ（90）が設けられている（図２を参照）。コントローラ（90）には、内気湿度センサ（92）、内気温度センサ（91）、外気湿度センサ（94）、及び外気温度センサ（93）の計測値が入力されている。また、コントローラ（90）には、冷媒回路（50）に設けられた温度センサや圧力センサの計測値が入力されている。コントローラ（90）は、入力されたこれらの計測値に基づいて、調湿装置（10）の運転制御を行う。
【００６２】
コントローラ（90）は、調湿装置（10）の運転を、後述する除湿運転と加湿運転と低能力運転と単純換気運転とに切り換える。また、コントローラ（90）は、これらの運転中において、各ダンパ（41〜48）、各ファン（25,26）、圧縮機（53）、電動膨張弁（55）、及び四方切換弁（54）の動作を制御する。
【００６３】
−運転動作−
本実施形態の調湿装置（10）は、除湿運転と、加湿運転と、単純換気運転とを選択的に行う。除湿運転および加湿運転は、圧縮機（53）が作動し且つ切換機構（40）が空気の流通経路を切り換える運転である。単純換気運転は、圧縮機（53）と切換機構（40）の両方が停止する運転である。本実施形態では、単純換気運転についての説明は省略する。
【００６４】
除湿運転、加湿運転、および単純換気運転のそれぞれでは、給気ファン（26）及び排気ファン（25）が作動する。そして、調湿装置（10）は、取り込んだ室外空気（OA）を供給空気（SA）として室内空間へ供給し、取り込んだ室内空気（RA）を排出空気（EA）として室外空間へ排出する。
【００６５】
〈除湿運転〉
除湿運転中の調湿装置（10）では、室外空気が外気吸込口（24）からケーシング（11）内へ第１空気として取り込まれ、室内空気が内気吸込口（23）からケーシング（11）内へ第２空気として取り込まれる。また、冷媒回路（50）では、圧縮機（53）が作動し、電動膨張弁（55）の開度が調節される。そして、除湿運転中の調湿装置（10）は、後述する第１バッチ動作と第２バッチ動作を３分間ずつ交互に繰り返し行う。
【００６６】
先ず、除湿運転の第１バッチ動作について説明する。除湿運転の第１バッチ動作では、切換機構（40）が空気の流通経路を第２経路に設定する。具体的には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１バッチ動作では、冷媒回路（50）が第１冷凍サイクル動作を行う。つまり、冷媒回路（50）では、四方切換弁（54）が第１状態（図２(Ａ)に示す状態）に設定され、第１吸着熱交換ユニット（51）が凝縮器となって第２吸着熱交換ユニット（52）が蒸発器となる。
【００６７】
外気側通路（34）へ流入して外気側フィルタ（28）を通過した第１空気は、第２外気側ダンパ（44）を通って第２熱交換器室（38）へ流入し、その後に第２吸着熱交換ユニット（52）を通過する。第２吸着熱交換ユニット（52）では、第１空気中の水分が吸着剤に吸着され、その際に生じた吸着熱が冷媒に吸熱される。第２吸着熱交換ユニット（52）において除湿された第１空気は、第２給気側ダンパ（46）を通って給気側通路（31）へ流入し、給気ファン室（36）を通過後に給気口（22）を通って室内空間へ供給される。
【００６８】
一方、内気側通路（32）へ流入して内気側フィルタ（27）を通過した第２空気は、第１内気側ダンパ（41）を通って第１熱交換器室（37）へ流入し、その後に第１吸着熱交換ユニット（51）を通過する。第１吸着熱交換ユニット（51）では、冷媒によって加熱された吸着剤から水分が脱離し、この脱離した水分が第２空気に付与される。第１吸着熱交換ユニット（51）において水分を付与された第２空気は、第１排気側ダンパ（47）を通って排気側通路（33）へ流入し、排気ファン室（35）を通過後に排気口（21）を通って室外空間へ排出される。
【００６９】
次に、除湿運転の第２バッチ動作について説明する。除湿運転の第２バッチ動作では、切換機構（40）が空気の流通経路を第１経路に設定する。具体的には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２バッチ動作では、冷媒回路（50）が第２冷凍サイクル動作を行う。つまり、冷媒回路（50）では、四方切換弁（54）が第２状態（図２(Ｂ)に示す状態）に設定され、第１吸着熱交換ユニット（51）が蒸発器となって第２吸着熱交換ユニット（52）が凝縮器となる。
【００７０】
外気側通路（34）へ流入して外気側フィルタ（28）を通過した第１空気は、第１外気側ダンパ（43）を通って第１熱交換器室（37）へ流入し、その後に第１吸着熱交換ユニット（51）を通過する。第１吸着熱交換ユニット（51）では、第１空気中の水分が吸着剤に吸着され、その際に生じた吸着熱が冷媒に吸熱される。第１吸着熱交換ユニット（51）において除湿された第１空気は、第１給気側ダンパ（45）を通って給気側通路（31）へ流入し、給気ファン室（36）を通過後に給気口（22）を通って室内空間へ供給される。
【００７１】
一方、内気側通路（32）へ流入して内気側フィルタ（27）を通過した第２空気は、第２内気側ダンパ（42）を通って第２熱交換器室（38）へ流入し、その後に第２吸着熱交換ユニット（52）を通過する。第２吸着熱交換ユニット（52）では、冷媒によって加熱された吸着剤から水分が脱離し、この脱離した水分が第２空気に付与される。第２吸着熱交換ユニット（52）において水分を付与された第２空気は、第２排気側ダンパ（48）を通って排気側通路（33）へ流入し、排気ファン室（35）を通過後に排気口（21）を通って室外空間へ排出される。
【００７２】
〈加湿運転〉
加湿運転中の調湿装置（10）では、室外空気が外気吸込口（24）からケーシング（11）内へ第２空気として取り込まれ、室内空気が内気吸込口（23）からケーシング（11）内へ第１空気として取り込まれる。また、冷媒回路（50）では、圧縮機（53）が作動し、電動膨張弁（55）の開度が調節される。そして、加湿運転中の調湿装置（10）は、後述する第１バッチ動作と第２バッチ動作を４分間隔で交互に繰り返し行う。
【００７３】
先ず、加湿運転の第１バッチ動作について説明する。加湿運転の第１バッチ動作では、切換機構（40）が空気の流通経路を第１経路に設定する。具体的には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１バッチ動作では、冷媒回路（50）が第１冷凍サイクル動作を行う。つまり、冷媒回路（50）では、四方切換弁（54）が第１状態（図２(Ａ)に示す状態）に設定され、第１吸着熱交換ユニット（51）が凝縮器となって第２吸着熱交換ユニット（52）が蒸発器となる。
【００７４】
内気側通路（32）へ流入して内気側フィルタ（27）を通過した第１空気は、第２内気側ダンパ（42）を通って第２熱交換器室（38）へ流入し、その後に第２吸着熱交換ユニット（52）を通過する。第２吸着熱交換ユニット（52）では、第１空気中の水分が吸着剤に吸着され、その際に生じた吸着熱が冷媒に吸熱される。第２吸着熱交換ユニット（52）において水分を奪われた第１空気は、第２排気側ダンパ（48）を通って排気側通路（33）へ流入し、排気ファン室（35）を通過後に排気口（21）を通って室外空間へ排出される。
【００７５】
一方、外気側通路（34）へ流入して外気側フィルタ（28）を通過した第２空気は、第１外気側ダンパ（43）を通って第１熱交換器室（37）へ流入し、その後に第１吸着熱交換ユニット（51）を通過する。第１吸着熱交換ユニット（51）では、冷媒によって加熱された吸着剤から水分が脱離し、この脱離した水分が第２空気に付与される。第１吸着熱交換ユニット（51）において加湿された第２空気は、第１給気側ダンパ（45）を通って給気側通路（31）へ流入し、給気ファン室（36）を通過後に給気口（22）を通って室内空間へ供給される。
【００７６】
次に、加湿運転の第２バッチ動作について説明する。加湿運転の第２バッチ動作では、切換機構（40）が空気の流通経路を第２経路に設定する。具体的には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２バッチ動作では、冷媒回路（50）が第２冷凍サイクル動作を行う。つまり、冷媒回路（50）では、四方切換弁（54）が第２状態（図２(Ｂ)に示す状態）に設定され、第１吸着熱交換ユニット（51）が蒸発器となって第２吸着熱交換ユニット（52）が凝縮器となる。
【００７７】
内気側通路（32）へ流入して内気側フィルタ（27）を通過した第１空気は、第１内気側ダンパ（41）を通って第１熱交換器室（37）へ流入し、その後に第１吸着熱交換ユニット（51）を通過する。第１吸着熱交換ユニット（51）では、第１空気中の水分が吸着剤に吸着され、その際に生じた吸着熱が冷媒に吸熱される。第１吸着熱交換ユニット（51）において水分を奪われた第１空気は、第１排気側ダンパ（47）を通って排気側通路（33）へ流入し、排気ファン室（35）を通過後に排気口（21）を通って室外空間へ排出される。
【００７８】
一方、外気側通路（34）へ流入して外気側フィルタ（28）を通過した第２空気は、第２外気側ダンパ（44）を通って第２熱交換器室（38）へ流入し、その後に第２吸着熱交換ユニット（52）を通過する。第２吸着熱交換ユニット（52）では、冷媒によって加熱された吸着剤から水分が脱離し、この脱離した水分が第２空気に付与される。第２吸着熱交換ユニット（52）において加湿された第２空気は、第２給気側ダンパ（46）を通って給気側通路（31）へ流入し、給気ファン室（36）を通過後に給気口（22）を通って室内空間へ供給される。
【００７９】
〈吸着熱交換ユニットにおける冷媒の流れ〉
次に、第１吸着熱交換ユニット（51）および第２吸着熱交換ユニット（52）における冷媒の流れについて説明する。尚、本実施形態１では、冷媒の流れについて、第１吸着熱交換ユニット（51）と第２吸着熱交換ユニット（52）とで同様であるため、第１吸着熱交換ユニット（51）についてのみ説明する。
【００８０】
図２（Ａ）に示すように、四方切換弁（54）が第１状態に設定されると、圧縮機（53）から吐出されたガス冷媒は、凝縮器となる第１吸着熱交換ユニット（51）において凝縮して液冷媒となった後、電動膨張弁（55）で膨張される。電動膨張弁（55）を通過した液冷媒は、第２吸着熱交換ユニット（52）に流入する。
【００８１】
上記第１吸着熱交換ユニット（51）では、図３において矢印で示すように、圧縮機（53）を吐出したガス冷媒は、第１吸着熱交換器（56）の第１ヘッダ集合管（80）に下方から流入し、上方に案内されて多数の扁平管（62）に流入される。第１吸着熱交換器（56）では、ガス冷媒が扁平管（62）の流体通路（62a）を流れる間に空気と熱交換した後、第２ヘッダ集合管（81）に流入する。第１吸着熱交換器（56）の第２ヘッダ集合管（81）に流入した冷媒は、開口部（86,86）を通過して第２吸着熱交換器（57）の第２ヘッダ集合管（81）へ流入する。第２ヘッダ集合管（81）に流入した冷媒は多数の扁平管（62）に流入される。第２吸着熱交換器（57）では、扁平管（62）の流体通路（62a）を流れる間に空気と熱交換した後、第１ヘッダ集合管（80）に流入した後、冷媒回路（50）に流出する。
【００８２】
−実施形態１の効果−
上記実施形態１によれば、直列接続された第２ヘッダ集合管（81）同士を平坦壁部（85,85）および開口部（86,86）によって接続させたため、一方の第２ヘッダ集合管（81）から他方の第２ヘッダ集合管（81）に開口部（86,86）を介して冷媒を供給することができる。これにより、接続配管等を用いなくとも第１および第２吸着熱交換器（56,57）を接続することができる。この結果、複数の吸着熱交換器（56,58）を有する吸着熱交換ユニット（51,52）において、装置を大型化させることなく、各吸着熱交換器（56,57）同士を接続することができる。
【００８３】
また、互いに直列接続される第２ヘッダ集合管（81）同士の平坦壁部（85,85）および開口部（86,86）を合わせて配置したため、第１吸着熱交換器（56）から第２吸着熱交換器（57）へ冷媒を流すことができる。これにより、接続配管等を用いなくとも第１および第２吸着熱交換器（56,57）を接続することができる。
【００８４】
〈発明の実施形態２〉
次に、上記実施形態２について説明する。実施形態２は、上記実施形態１に係る調湿装置（10）とは異なり、第３吸着熱交換器（58）を備えている。尚、本実施形態２では、上記実施形態１と異なる部分についてのみ説明する。
【００８５】
具体的に、図１０〜図１２に示すように、第３吸着熱交換器（58）は、第３ヘッダ集合管（82）と、第４ヘッダ集合管（83）と、多数の扁平管（62）と、多数のフィン（63）とを備え、これらの扁平管（62）およびフィン（63）の表面に吸着剤を担持させたものである。第３および第４ヘッダ集合管（82,83）、扁平管（62,62）およびフィン（63）は、何れもアルミニウム合金製の部材であって、互いにロウ付けによって接合されている。また、第３ヘッダ集合管（82）および第４ヘッダ集合管（83）は、その軸方向が上下方向となるように配置されている。
【００８６】
上記第３ヘッダ集合管（82）は、両端が閉塞された細長い管状に形成され、第３吸着熱交換器（58）の右端に起立した状態で配置されている。第３ヘッダ集合管（82）は、軸直角断面形状が略長方形状に形成され、扁平管（62）の一端が接続される。第３ヘッダ集合管（82）は、その周壁が２つの円弧壁部（84,84）と、該円弧壁部（84）と略直交する２つの平坦壁部（85,85）とを有している。
【００８７】
上記円弧壁部（84,84）は、径方向外方へ膨出する円弧状に形成されている。円弧壁部（84,84）には、各扁平管（62）が互いに等間隔を置いて上下方向に配列された扁平管（62）の一端が接続される。
【００８８】
上記平坦壁部（85,85）は、第３ヘッダ集合管（82）の周壁において上記円弧壁部（84）と略直交する部分が平坦状に形成されている。平坦壁部（85）は、第３吸着熱交換器（58）の扁平管（62）の伸長方向と略平行方向に向かって延びている。
【００８９】
第３ヘッダ集合管（82）の第１吸着熱交換器（56）側を向く平坦壁部（85）には、略矩形状の開口部（86）が形成されている。この開口部（86）は、第３ヘッダ集合管（82）の内部および外部と連通させるものである。開口部（86）は、平坦壁部（85）の長手方向の概ね上部位置に設けられている。尚、この平坦壁部（85）は、本発明に係る平面部を構成している。
【００９０】
上記第４ヘッダ集合管（83）は、両端が閉塞された細長い管状に形成され、第３吸着熱交換器（58）の左端に起立した状態で配置されている。第４ヘッダ集合管（83）は、軸直角断面形状が略長方形状に形成され、扁平管（62）の他端が接続される。第４ヘッダ集合管（83）は、その周壁が２つの円弧壁部（84）と、該円弧壁部（84）と略直交する２つの平坦壁部（85,85）とを有している。
【００９１】
上記円弧壁部（84）は、径方向外方へ膨出する円弧状に形成されている。円弧壁部（84）には、各扁平管（62）が互いに等間隔を置いて上下方向に配列された扁平管（62）の他端が接続される。
【００９２】
上記平坦壁部（85,85）は、第４ヘッダ集合管（83）の周壁において上記円弧壁部（84）と略直交する部分が平坦状に形成されている。平坦壁部（85,85）は、第３吸着熱交換器（58）の扁平管（62）の伸長方向と略平行方向に向かって延びている。
【００９３】
第４ヘッダ集合管（83）の第２吸着熱交換器（57）側を向く平坦壁部（85）には、略矩形状の開口部（86）が形成されている。この開口部（86）は、第４ヘッダ集合管（83）の内部および外部と連通させるものである。開口部（86）は、平坦壁部（85）の長手方向の概ね上部位置に設けられている。尚、この平坦壁部（85）は、本発明に係る平面部を構成している。
【００９４】
上記扁平管（62）は、その断面形状が扁平な長円形となった伝熱管である。第３吸着熱交換器（58）において、複数の扁平管（62）は、その伸長方向が左右方向となり、それぞれの平坦な側面が対向する状態で配置されている。また、複数の扁平管（62）は、互いに一定の間隔をおいて上下に並んで配置され、互いに実質的に平行となっている。各扁平管（62）は、その一端が第３ヘッダ集合管（82）に挿入され、その他端が第４ヘッダ集合管（83）に挿入されている。
【００９５】
図１１および図１２に示すように、第１吸着熱交換器（56）と第３吸着熱交換器（58）は、第１ヘッダ集合管（80）と第４ヘッダ集合管（83）とを接触させ、且つ第２ヘッダ集合管（81）と第３ヘッダ集合管（82）とを接触させて配置されている。具体的には、両吸着熱交換器（56,58）は、第１ヘッダ集合管（80）の平坦壁部（85）と第４ヘッダ集合管（83）との平坦壁部（85）とを合わせた状態で配置される。また、両吸着熱交換器（56,58）は、第２ヘッダ集合管（81）と第３ヘッダ集合管（82）の平坦壁部（85,85）および開口部（86,86）同士を合わせた状態で配置される。つまり、第２ヘッダ集合管（81）と第３ヘッダ集合管（82）は、冷媒流れが直列に接続される。そして、第１吸着熱交換器（56）の第２ヘッダ集合管（81）の内部と、第３吸着熱交換器（58）の第３ヘッダ集合管（82）の内部とが連通する。
【００９６】
第２吸着熱交換器（57）と第３吸着熱交換器（58）は、第１ヘッダ集合管（80）と第３ヘッダ集合管（82）とを接触させ、且つ第２ヘッダ集合管（81）と第４ヘッダ集合管（83）とを接触させて配置されている。具体的には、両吸着熱交換器（57,58）は、第１ヘッダ集合管（80）の平坦壁部（85）と第３ヘッダ集合管（82）との平坦壁部（85）とを合わせた状態で配置される。また、両吸着熱交換器（57,58）は、第２ヘッダ集合管（81）と第４ヘッダ集合管（83）の平坦壁部（85,85）および開口部（86,86）同士を合わせた状態で配置される。つまり、第２ヘッダ集合管（81）と第４ヘッダ集合管（83）は、冷媒流れが直列に接続される。そして、第２吸着熱交換器（57）の第２ヘッダ集合管（81）の内部と、第３吸着熱交換器（58）の第４ヘッダ集合管（83）の内部とが連通する。
【００９７】
〈吸着熱交換ユニットにおける冷媒の流れ〉
次に、第１吸着熱交換ユニット（51）および第２吸着熱交換ユニット（52）における冷媒の流れについて説明する。尚、本実施形態では、冷媒の流れについて、第１吸着熱交換ユニット（51）と第２吸着熱交換ユニット（52）とで同様であるため、第１吸着熱交換ユニット（51）についてのみ説明する。
【００９８】
圧縮機（53）から吐出されたガス冷媒は、凝縮器となる第１吸着熱交換ユニット（51）において凝縮して液冷媒となった後、電動膨張弁（55）で膨張される。電動膨張弁（55）を通過した液冷媒は、第２吸着熱交換ユニット（52）に流入する。
【００９９】
上記第１吸着熱交換ユニット（51）では、図１０において矢印で示すように、圧縮機（53）を吐出したガス冷媒は、第１吸着熱交換器（56）の第１ヘッダ集合管（80）に下方から流入し、上方に案内されて多数の扁平管（62）に流入される。第１吸着熱交換器（56）では、ガス冷媒が扁平管（62）の流体通路（62a）を流れる間に空気と熱交換した後、第２ヘッダ集合管（81）に流入する。第１吸着熱交換器（56）の第２ヘッダ集合管（81）に流入した冷媒は、開口部（86,86）を通過して第３吸着熱交換器（58）の第３ヘッダ集合管（82）へ流入する。第３ヘッダ集合管（82）に流入した冷媒は多数の扁平管（62）に流入される。第３吸着熱交換器（58）では、扁平管（62）の流体通路（62a）を流れる間に空気と熱交換した後、第４ヘッダ集合管（83）に流入する。第３吸着熱交換器（58）の第４ヘッダ集合管（83）に流入した冷媒は、開口部（86,86）を通過して第２吸着熱交換器（57）の第２ヘッダ集合管（81）へ流入する。第２ヘッダ集合管（81）に流入した冷媒は多数の扁平管（62）に流入される。第２吸着熱交換器（57）では、扁平管（62）の流体通路（62a）を流れる間に空気と熱交換した後、第１ヘッダ集合管（80）に流入した後、冷媒回路（50）に流出する。
【０１００】
−実施形態２の効果−
上記実施形態２によれば、第３ヘッダ集合管（82）および第４ヘッダ集合管（83）を備えた第３吸着熱交換器（58）を設けたため、複数の吸着熱交換器（56〜58）の台数を簡単に増やすことができる。つまり、接続配管等を用いることなく、さらに第３吸着熱交換器（58）を直列接続することができる。
【０１０１】
また、第２ヘッダ集合管（81）と第３ヘッダ集合管（82）の互いの平坦壁部部（85,85）および開口部（86,86）同士を合わせて配置される一方、第２ヘッダ集合管（81）と第４ヘッダ集合管（83）の互いの平坦壁部（85,85）および開口部（86,86）同士を合わせて配置したため、接続配管等を用いることなく、第１〜第３の吸着熱交換器（56〜58）を接続することができる。その他の構成、作用・効果は上記実施形態１と同様である。
【０１０２】
〈その他の実施形態〉
本発明は、上記実施形態１および２について、以下のような構成としてもよい。
【０１０３】
上記実施形態１および２に係る吸着熱交換器（56,57,58）のフィン（63）は、例示であって、フィン形状はこれに限られるものではなく、その他のフィン形状を用いてもよい。また、上記実施形態１および２に係る吸着熱交換器（56,57,58）における扁平管（62）の本数は例示であって、これに限られるものではなく、扁平管の本数をこれよりさらに多数又は少数としてもよい。
【０１０４】
また、上記実施形態および変形例に係るヘッダ集合管は、左右方向に延びて、且つ扁平管の伸長方向が上下方向に延びるように配置してもよい。
【０１０５】
尚、以上の実施形態は、本質的に好ましい例示であって、本発明、その適用物、あるいはその用途の範囲を制限することを意図するものではない。
【産業上の利用可能性】
【０１０６】
以上説明したように、本発明は、複数の吸着熱交換器を備えた吸着ユニット、およびそれらを備えた調湿装置について有用である。
【符号の説明】
【０１０７】
６２          扁平管
６３          フィン
８１          第２ヘッダ集合管
８２          第３ヘッダ集合管
８３          第４ヘッダ集合管
８５          平坦壁部
８６          開口部
【図１】
2013137172.tif 000003
【図２】
2013137172.tif 000004
【図３】
2013137172.tif 000005
【図４】
2013137172.tif 000006
【図５】
2013137172.tif 000007
【図６】
2013137172.tif 000008
【図７】
2013137172.tif 000009
【図８】
2013137172.tif 000010
【図９】
2013137172.tif 000011
【図１０】
2013137172.tif 000012
【図１１】
2013137172.tif 000013
【図１２】
2013137172.tif 000014